(57)【特許請求の範囲】
【請求項１】
観察する側から、
第１のホログラムを備え、第１の偏光特性を有する反射光を反射する第１の光学機能層と、
前記第１の光学機能層と積層され、第２のホログラムを備え、第２の偏光特性を有する反射光を反射する第２の光学機能層と
順に配置され、
前記第１の光学機能層は、前記第１のホログラムが設けられたコレステリック液晶層から構成され、
前記第２の光学機能層は、前記観察する側から、円偏光フィルタ層、前記第２のホログラムが設けられた光反射層と配置された構成を備え、
前記円偏光フィルタ層は、前記観察する側から円偏光が入射した際に、前記コレステリック液晶層で選択的に反射される円偏光と同じ旋回方向の円偏光を遮断し、それと逆旋回方向の円偏光を透過する光学特性を有し、
前記第１の偏光特性を有する反射光と前記第２の偏光特性を有する反射光とは、偏光フィルタにより分離が可能であり、
前記第１のホログラムにより左右の目の一方で視認するための第１のホログラム像が形成され、
前記第２のホログラムにより前記左右の目の他方で視認するための第２のホログラム像が形成され、
前記第１のホログラム像と前記第２のホログラム像により立体像が形成されることを特徴とする識別媒体。
【請求項２】
前記第２の光学機能層は、前記観察する側から順に、λ／４板、直線偏光フィルタ層、前記第２のホログラムが設けられた光反射層と配置された構成を備えていることを特徴とする請求項１に記載の識別媒体。
【請求項３】
前記第１のホログラム像および前記第２のホログラム像は、複数の異なる見る角度に対応させて複数が用意されていることを特徴とする請求項１または２に記載の識別媒体。
【請求項４】
前記複数の第１のホログラム像は、Ｎ個の見る角度に対応させたＮ個の一方の目用のホログラム像を有し（Ｎは、２以上の自然数）、
前記複数の第２のホログラム像は、前記Ｎ個の見る角度に対応させたＮ個の他方の目用のホログラム像を有し、
前記Ｎ個の見る角度に含まれる第１の見る角度と第２の見る角度において、
前記複数の第１のホログラム像は、前記第１の見る角度に対応させた第１の一方の目用ホログラム像と前記第２の見る角度に対応させた第２の一方の目用ホログラム像とを有し、
前記複数の第２のホログラム像は、前記第１の見る角度に対応させた第１の他方の目用ホログラム像と前記第２の見る角度に対応させた第２の他方の目用ホログラム像とを有し、
前記第１のホログラムは、前記第１の一方の目用ホログラム像を構成する複数の画素領域および前記第２の一方の目用ホログラム像を構成する複数の画素領域から構成され、
前記第２のホログラムは、前記第１の他方の目用ホログラム像を構成する複数の画素領域および前記第２の他方の目用ホログラム像を構成する複数の画素領域から構成され、
前記第１の見る角度からの観察において、前記第１の一方の目用ホログラム像を構成する複数の画素領域および前記第１の他方の目用ホログラム像を構成する複数の画素領域からの反射光が結像し、前記第２の一方の目用ホログラム像を構成する複数の画素領域および前記第２の他方の目用ホログラム像を構成する複数の画素領域からの反射光が結像せず、
前記第２の見る角度からの観察において、前記第２の一方の目用ホログラム像を構成する複数の画素領域および前記第２の他方の目用ホログラム像を構成する複数の画素領域からの反射光が結像し、前記第１の一方の目用ホログラム像を構成する複数の画素領域および前記第１の他方の目用ホログラム像を構成する複数の画素領域からの反射光が結像しないことを特徴とする請求項３に記載の識別媒体。
【請求項５】
前記第２の光学機能層は、カラーフィルタを備えていることを特徴とする請求項１〜４のいずれか一項に記載の識別媒体
【請求項６】
前記カラーフィルタは、前記コレステリック液晶層が選択的に反射する光の中心波長の光を選択的に透過する特性を有していることを特徴とする請求項５に記載の識別媒体。
【請求項７】
前記カラーフィルタは、前記コレステリック液晶層が選択的に反射する光の中心波長と異なる波長の光を選択的に透過する特性を有していることを特徴とする請求項５に記載の識別媒体。
【請求項８】
前記円偏光フィルタ層により、左右の目の一方の目用のホログラム像と他方の目用のホログラム像との分離が行われることを特徴とする請求項１〜７のいずれか一項に記載の識別媒体。
【請求項９】
前記コレステリック液晶層は、左右の目の一方の目で観察するための第１の旋回方向の円偏光を反射すると共に、前記第２の光学機能層で反射される前記左右の目の他方の目で観察するための前記第１の旋回方向と逆の旋回方向の第２の旋回方向の光を観察者側に透過することを特徴とする請求項１〜８のいずれか一項に記載の識別媒体。
【請求項１０】
観察する側から、
第１のホログラムを備え、第１の偏光特性を有する反射光を反射する第１の光学機能層と、
前記第１の光学機能層と積層され、第２のホログラムを備え、第２の偏光特性を有する反射光を反射する第２の光学機能層と
順に配置され、
前記第１の光学機能層は、前記第１のホログラムを備えた第１のコレステリック液晶層から構成され、
前記第２の光学機能層は、前記観察する側から、前記第１のコレステリック液晶層と同じ光学機能を有しホログラムを備えていない第２のコレステリック液晶層、前記第２のホログラムを備えた光反射層と配置された構成を有し、
前記第１の偏光特性を有する反射光と前記第２の偏光特性を有する反射光とは、偏光フィルタにより分離が可能であり、
前記第１のホログラムにより左右の目の一方で視認するための第１のホログラム像が形成され、
前記第２のホログラムにより前記左右の目の他方で視認するための第２のホログラム像が形成され、
前記第１のホログラム像と前記第２のホログラム像により立体像が形成されることを特徴とする識別媒体。
【請求項１１】
請求項１〜１０のいずれか一項に記載の識別媒体の識別方法であって、
前記第１のホログラム像を前記第１の偏光特性を有する反射光を選択的に透過する第１の偏光フィルタを介して左右の目の一方で観察し、前記第２のホログラム像を前記第２の偏光特性を有する反射光を選択的に透過する第２の偏光フィルタを介して左右の目の他方で観察することを特徴とする識別媒体の識別方法。
【発明の詳細な説明】
【技術分野】
【０００１】
本発明は、立体画像を利用した識別媒体およびその識別方法に関する。
【背景技術】
【０００２】
偏光やホログラム像を用いた識別媒体が知られている。例えば、特許文献１には、コレステリック液晶層を２層に積層し、反射する円偏光の旋回方向が互いに異なる向きとすることで、左円偏光フィルタと右円偏光フィルタとで、異なる像が見えるようにした構成が記載されている。
【０００３】
引用文献２には、ホログラムを利用して立体像を表示する識別媒体が記載されている。引用文献３には、左右で異なる円偏光を反射するコレステリック液晶層を積層し、それぞれのコレステリック液晶層のパターンを左目用と右目用とする識別媒体が記載されている。
【０００４】
【特許文献１】特開２００４−３３８２５７号公報
【特許文献２】特開平５−２１４８号公報
【特許文献３】特開２０００−２５５２００号公報
【発明の開示】
【発明が解決しようとする課題】
【０００５】
特許文献１に記載の構成では、右円偏光と左円偏光とで異なる像を観察することで識別を行う構成が記載されているが、観察対象の像の立体感は、ホログラムの立体感に頼っているので、立体像を識別に利用するという点で識別機能が不足している。
【０００６】
特許文献２に記載の構成では、ホログラムを利用した視差のある画像を左右の目で別々に視認させ、それにより立体像を観察させている。引用文献２では、ディスプレイの材質については触れられておらず、回折格子で回折される波長は、限定されていない。そのため、特定の波長でない自然光の全ての波長が回折格子で回折され、ホログラムの生成に寄与する。この場合、多数の波長のホログラム像が生成されることになり、それらが重なって見えるので、ホログラム像のボケや滲みが発生する。このため、観察される立体像の鮮明さが損なわれやすい。
【０００７】
また、回折格子の表面にアルミ蒸着した一般的なエンボスホログラムのように、特に反射光の波長が限定されない材料に対するエンボス加工により形成されるホログラムは、エンボス加工の状態が写し取られやすく、エンボス加工の素となる型がなくても、複製が製造し易い。つまり、偽造品を製造し易く、耐偽造性が低い。
【０００８】
引用文献３に記載の構成では、左目用の像と右目用の像とが、各コレステリック液晶層のパターンによって構成されているので、特定の中心波長の光を反射するコレステリック液晶の性質から、鮮明な像が得られ易い。しかしながら、左右の像がコレステリック液晶層のパターンによって構成されているので、見る角度（視線の角度）を変化させても、立体像の見え方は同じとなる。例えば、当該識別媒体を正面（視線と垂線のなす角度が０°）で見ても、見る角度３０°（視線と垂線のなす角度が３０℃）で見ても、同じ立体像が見える。
【０００９】
すなわち、引用文献３に記載の識別媒体では、立体像を観察することはできるが、見る角度を変えた場合に、観察される立体像が変化して見える光学機能は得られない。また、複雑で細かい画像情報を表現することはできない。
【００１０】
このような背景において、本発明は、見る角度を変えた場合に、観察される立体像が変化して見える光学機能を有する識別媒体を提供することを目的とする。
【課題を解決するための手段】
【００１１】
請求項１に記載の発明は、観察する側から、第１のホログラムを備え、第１の偏光特性を有する反射光を反射する第１の光学機能層と、前記第１の光学機能層と積層され、第２のホログラムを備え、第２の偏光特性を有する反射光を反射する第２の光学機能層と順に配置され、前記第１の光学機能層は、前記第１のホログラムが設けられたコレステリック液晶層から構成され、前記第２の光学機能層は、前記観察する側から、円偏光フィルタ層、前記第２のホログラムが設けられた光反射層と配置された構成を備え、前記円偏光フィルタ層は、前記観察する側から円偏光が入射した際に、前記コレステリック液晶層で選択的に反射される円偏光と同じ旋回方向の円偏光を遮断し、それと逆旋回方向の円偏光を透過する光学特性を有し、前記第１の偏光特性を有する反射光と前記第２の偏光特性を有する反射光とは、偏光フィルタにより分離が可能であり、前記第１のホログラムにより左右の目の一方で視認するための第１のホログラム像が形成され、前記第２のホログラムにより前記左右の目の他方で視認するための第２のホログラム像が形成され、前記第１のホログラム像と前記第２のホログラム像により立体像が形成されることを特徴とする識別媒体である。
【００１２】
請求項１に記載の発明では、例えば、第１のホログラム像を用いて右目用（または左目用）の像を表示し、第２のホログラム像を用いて左目用（または右目用）の像を表示する。ここで右目用のホログラム像と左目用のホログラム像とは、左右の位置が視差の分ずれており、右目用のホログラム像を右目で見、それとは別に左目用のホログラム像を左目で見ることで、両者の像が視覚中枢で合成され、立体像が認識される。
【００１３】
本発明の識別媒体を観察する際には、偏光特性の違いを利用して左右の目で、第１のホログラム像と第２のホログラム像とを分離して同時に観察する。すなわち、上記の場合でいうと、第１の偏光特性の光を透過する第１の偏光フィルタを介して、右目（または左目）で当該識別媒体の観察を行い、第２の偏光特性の光を透過する第２の偏光フィルタを介して、左目（または右目）で当該識別媒体の観察を行う。これにより、右目（または左目）で第１のホログラム像を選択的に視認し、左目（または右目）で第２のホログラム像を選択的に視認する。この結果、第１のホログラム像と第２のホログラム像とにより構成される立体像が観察される。
【００１４】
ホログラム像は、見る角度に従って像の見え方が変化するので、見る角度を変える（例えば、識別媒体を傾ける）ことで立体像の見え方が変化する光学機能が得られる。なお見る角度は、識別媒体に対して垂直な方向（光軸方向）と視線とがなす角度として定義される。見る角度を変える方法としては、識別媒体を傾ける方法、あるいは観察者の識別媒体を観察する視点の位置を変える方法がある。
【００１５】
また、第１の光学機能層と第２の光学機能層が光軸方向で前後に配置されるので、左右の像を平面的に配置した場合に比較して、像の密度を高くでき、より精緻が立体像の観察が可能となる。なお、第１の光学機能層と第２の光学機能層との積層構造は、両層が、直接重ねられて接触している場合に限定されず、両層の間に光透過性の他の層が介在していてもよい。
【００１６】
また、請求項１に記載の発明によれば、コレステリック液晶層の機能により第１の光学機能層から第１の旋回方向の円偏光が得られ、円偏光フィルタ層と光反射層の機能により第２の光学機能層から第１の旋回方向と逆旋回方向の第２の旋回方向の円偏光が得られる。そして、観察用の円偏光フィルタにより第１の旋回方向の円偏光を左右の目の一方で選択的に視認し、第２の旋回方向の円偏光を左右の目の他方で選択的に見ることで、左右の目で第１のホログラム像と第２のホログラム像とが独立して視認され、立体像の観察が行われる。
【００１７】
請求項２に記載の発明は、請求項１に記載の発明において、前記第２の光学機能層は、前記観察する側から順に、λ／４板、直線偏光フィルタ層、前記第２のホログラムが設けられた光反射層と配置された構成を備えていることを特徴とする。
【００１８】
請求項３に記載の発明は、請求項１または２に記載の発明において、前記第１のホログラム像および前記第２のホログラム像は、複数の異なる見る角度に対応させて複数が用意されていることを特徴とする。
【００１９】
請求項４に記載の発明は、請求項３に記載の発明において、前記複数の第１のホログラム像は、Ｎ個の見る角度に対応させたＮ個の一方の目用のホログラム像を有し（Ｎは、２以上の自然数）、前記複数の第２のホログラム像は、前記Ｎ個の見る角度に対応させたＮ個の他方の目用のホログラム像を有し、前記Ｎ個の見る角度に含まれる第１の見る角度と第２の見る角度において、前記複数の第１のホログラム像は、前記第１の見る角度に対応させた第１の一方の目用ホログラム像と前記第２の見る角度に対応させた第２の一方の目用ホログラム像とを有し、前記複数の第２のホログラム像は、前記第１の見る角度に対応させた第１の他方の目用ホログラム像と前記第２の見る角度に対応させた第２の他方の目用ホログラム像とを有し、前記第１のホログラムは、前記第１の一方の目用ホログラム像を構成する複数の画素領域および前記第２の一方の目用ホログラム像を構成する複数の画素領域から構成され、前記第２のホログラムは、前記第１の他方の目用ホログラム像を構成する複数の画素領域および前記第２の他方の目用ホログラム像を構成する複数の画素領域から構成され、前記第１の見る角度からの観察において、前記第１の一方の目用ホログラム像を構成する複数の画素領域および前記第１の他方の目用ホログラム像を構成する複数の画素領域からの反射光が結像し、前記第２の一方の目用ホログラム像を構成する複数の画素領域および前記第２の他方の目用ホログラム像を構成する複数の画素領域からの反射光が結像せず、前記第２の見る角度からの観察において、前記第２の一方の目用ホログラム像を構成する複数の画素領域および前記第２の他方の目用ホログラム像を構成する複数の画素領域からの反射光が結像し、前記第１の一方の目用ホログラム像を構成する複数の画素領域および前記第１の他方の目用ホログラム像を構成する複数の画素領域からの反射光が結像しないことを特徴とする。
【００２０】
請求項４に記載の発明は、見る角度の数が２以上の場合に適用される。例えば、見る角度が３以上用意されている場合、その中の任意の２つの見る角度に着目した場合に請求項４に記載の発明の構成が満足されるようにホログラムを構成する。請求項４において、一方の目というのは、両目のうちの一方（例えば右目）であり、他方の目というのは、残りの他方（例えば左目）である。
【００２１】
例えば、見る角度が２つ用意されている場合、第１の見る角度からの観察では、第１の見る角度用の右目用のホログラム加工領域の画素からの反射光が結像し、それが右目で観察され、第１の見る角度用の右目用のホログラム像が右目で選択的に視認される。同様に、光学機能層からの第１の見る角度用の左目用のホログラム加工領域の画素からの反射光が結像し、それが左目で観察され、第１の見る角度用の左目用のホログラム像が左目で視認される。この際、第２の見る角度用のホログラム像は、第１の見る角度では結像しないので、第１の見る角度用のホログラム像が優先的に認識され、第１の見る角度用の立体ホログラム像が観察される。
【００２２】
逆に、第２の見る角度から観察を行うと、第１の見る角度用のホログラム像は結像せず、第２の見る角度用のホログラム像が結像するので、第２の見る角度用の左右のホログラム像が左右の目で選択的に観察され、第２の見る角度用の立体ホログラム像が観察される。
【００２３】
また例えば、見る角度が３つ用意されている場合、第１の見る角度からの観察では、第１の見る角度用の右目用のホログラム加工領域の画素からの反射光が結像し、それが右目で観察され、第１の見る角度用の右目用のホログラム像が右目で選択的に視認される。同様に、第１の見る角度用の左目用のホログラム加工領域の画素からの反射光が結像し、それが左目で観察され、第１の見る角度用の左目用のホログラム像が左目で視認される。この際、第２の見る角度用のホログラム像および第３の見る角度用のホログラム像は、第１の見る角度では結像しないので、第１の見る角度用のホログラム像が優先的に認識され、第１の見る角度用の立体ホログラム像が観察される。
【００２４】
そして、第２の見る角度から観察を行うと、第１の見る角度用のホログラム像および第３の見る角度用のホログラム像は結像せず、第２の見る角度用のホログラム像が結像するので、第２の見る角度用の左右のホログラム像が左右の目で選択的に観察され、第２の見る角度用の立体ホログラム像が観察される。
【００２５】
更に、第３の見る角度から観察を行うと、第１の見る角度用のホログラム像および第２の見る角度用のホログラム像は結像せず、第３の見る角度用のホログラム像が結像するので、第３の見る角度用の左右のホログラム像が左右の目で選択的に観察され、第３の見る角度用の立体ホログラム像が観察される。以上の原理により、見る角度を変えると、観察される立体ホログラム像が切り替わる光学機能が得られる。
【００２６】
請求項５に記載の発明は、請求項１〜４のいずれか一項に記載の発明において、前記第２の光学機能層は、カラーフィルタを備えていることを特徴とする。ホログラム像は、光の干渉により生成されるので、利用する波長帯域の幅が狭い方が、像の滲みやボケが少なく、より鮮明な像が観察可能となる。請求項６に記載の発明によれば、カラーフィルタにより第２の光学機能層からの反射光の波長帯域幅が制限されるので、より鮮明なホログラム像を得る上で有利となる。
【００２７】
請求項６に記載の発明は、請求項５に記載の発明において、前記カラーフィルタは、前記コレステリック液晶層が選択的に反射する光の中心波長の光を選択的に透過する特性を有していることを特徴とする。請求項６に記載の発明によれば、右目用のホログラム像の色と左目用のホログラム像の色とを揃えることができる。
【００２８】
請求項７に記載の発明は、請求項５に記載の発明において、前記カラーフィルタは、前記コレステリック液晶層が選択的に反射する光の中心波長と異なる波長の光を選択的に透過する特性を有していることを特徴とする。請求項７に記載の発明によれば、右目用のホログラム像の色と左目用のホログラム像の色とが違う色になる。このため、偏光フィルタを介した観察において、右目用のホログラム像を選択的に見た場合に第１の色のホログラム像が観察される。また、左目用のホログラム像を選択的に見た場合に第２の色のホログラム像が観察される。更に、右目で右目用のホログラム像を選択的に見、左目で左目用のホログラム像を選択的に見ると、第１の色と第２の色が合成された立体像が観察される。この色彩の変化は特異なものであり、高い識別機能が得られる。
【００２９】
請求項８に記載の発明は、請求項１〜７のいずれか一項に記載の発明において、前記円偏光フィルタ層により、左右の目の一方の目用のホログラム像と他方の目用のホログラム像との分離が行われることを特徴とする。
【００３０】
第1の光学機能層のコレステリック液晶層は特定中心波長で特定旋回方向の円偏光を選択的に反射する選択反射性を有している。この反射光は第1のホログラム情報を含んでいる。一方、第２のホログラムからの反射光は円偏光フィルタ層によって、第1の旋回方向とは反対の円偏光となる。この第２のホログラムからの反射光は、そのまま第1の光学機能層を透過するので、左右の目用のホログラム情報が混ざる現象が抑えられる。
【００３１】
請求項９に記載の発明は、請求項１〜８のいずれか一項に記載の発明において、前記コレステリック液晶層は、左右の目の一方の目で観察するための第１の旋回方向の円偏光を反射すると共に、前記第２の光学機能層で反射される前記左右の目の他方の目で観察するための前記第１の旋回方向と逆の旋回方向の第２の旋回方向の光を観察者側に透過することを特徴とする。
【００３２】
請求項１０に記載の発明は、観察する側から、第１のホログラムを備え、第１の偏光特性を有する反射光を反射する第１の光学機能層と、前記第１の光学機能層と積層され、第２のホログラムを備え、第２の偏光特性を有する反射光を反射する第２の光学機能層と順に配置され、前記第１の光学機能層は、前記第１のホログラムを備えた第１のコレステリック液晶層から構成され、前記第２の光学機能層は、前記観察する側から、前記第１のコレステリック液晶層と同じ光学機能を有しホログラムを備えていない第２のコレステリック液晶層、前記第２のホログラムを備えた光反射層と配置された構成を有し、前記第１の偏光特性を有する反射光と前記第２の偏光特性を有する反射光とは、偏光フィルタにより分離が可能であり、前記第１のホログラムにより左右の目の一方で視認するための第１のホログラム像が形成され、前記第２のホログラムにより前記左右の目の他方で視認するための第２のホログラム像が形成され、前記第１のホログラム像と前記第２のホログラム像により立体像が形成されることを特徴とする識別媒体である。
【００３３】
請求項１０に、請求項５〜７から選ばれた一または複数の構成を組み合わせることも可能である。
【００３４】
請求項１１に記載の発明は、請求項１〜１０のいずれか一項に記載の識別媒体の識別方法であって、前記第１のホログラム像を前記第１の偏光特性を有する反射光を選択的に透過する第１の偏光フィルタを介して左右の目の一方で観察し、前記第２のホログラム像を前記第２の偏光特性を有する反射光を選択的に透過する第２の偏光フィルタを介して左右の目の他方で観察することを特徴とする識別媒体の識別方法である。
【発明の効果】
【００３５】
請求項１に記載の発明によれば、立体像を得るための左右の目用の像がホログラム像により構成されるので、見る角度の位置を変えた場合に、観察される立体像が変化して見える光学機能を有する識別媒体が得られる。また、右目用のホログラムと左目用のホログラムとが光軸方向に配置されるので、平面的に左右の目用の像を配置する場合に比較して、像の密度をあげることができ、より精緻な立体像が観察可能となる。
【００３６】
また、請求項１に記載の発明によれば、立体像の合成に必要な左右の目用の２つの像のうちの一方を得るのにコレステリック液晶層を用い、他方の像を得るのに円偏光フィルタ層と光反射層を用いるので、コレステリック液晶層の使用を節約でき、コストを抑えることができる。また、円偏光フィルタ層のフィルタ効果により、左右の目用の像の分離が高い精度で行われ、鮮明な立体像を観察することができる。
【００３７】
請求項２に記載の発明によれば、コレステリック液晶層の代わりにλ／４板と直線偏光フィルタ層を用いるので、低コストが実現できる。
【００３８】
請求項３に記載の発明によれば、見る角度を変えた際に観察される立体像が切り替わる視覚効果が得られ、更に高い識別機能が得られる。
【００３９】
請求項４に記載の発明によれば、複数の像に対応させて画素を分割することで、見る角度を変えた際に異なる立体像が観察可能となる技術が提供される。
【００４０】
請求項５に記載の発明によれば、第２の光学機能層からの反射光の波長帯域の幅が狭められ、鮮明な立体ホログラム像の観察が可能となる。
【００４１】
請求項６に記載の発明によれば、第１の光学機能層からの反射光と同じ色の反射光を第２の光学機能層から得ることできる。
【００４２】
請求項７に記載の発明によれば、右目用のホログラム像の色と左目用のホログラム像の色とを異なる色とすることで、高い識別機能を得ることができる。
【００４３】
請求項８の記載の発明によれば、円偏光フィルタにより第２のホログラム情報は、第1ホログラムと異なる旋回方向になるため、立体像を構成する右目用のホログラム像と左目用ホログラム像を高い精度で分離でき、より鮮明な立体像を観察することができる。
【００４４】
請求項９に記載の発明によれば、コレステリック液晶層が有する特定中心波長で一旋回方向の光を選択的に反射し、他の成分を透過する光学的な性質により、第２の光学機能層からの反射光が第１の光学機能層のコレステリック液晶層を非観察面側から観察面側に透過する。コレステリック液晶の光学的な性質により、上記のコレステリック液晶層を透過する成分は、コレステリック液晶層に設けられたホログラムによる光学変調をほとんど受けない。このため、第２の光学機能層からの反射光が第１の光学機能層に設けられたホログラムによる光学変調を受け難く、立体像を構成する右目用のホログラム像と左目用のホログラム像の分離を高くできる。
【００４５】
請求項１０に記載の発明によれば、２層のコレステリック液晶層を利用して立体像を得る構成において、他方のコレステリック液晶層にホログラムを形成しないことで、コストを下げることができる。
【００４６】
請求項１１に記載の発明によれば、請求項１〜１０のいずれか一項に記載の発明の優位性を有する識別媒体の識別の方法が提供される。
【図面の簡単な説明】
【００４７】
【図１】実施形態の識別媒体の概念図である。
【図２】光学的な原理を示す原理図である。
【図３】立体視の原理を示す原理図である。
【図４】ホログラムが形成される領域の画素の状態を示す概念図である。
【図５】実施形態の識別媒体の概念図である。
【図６】立体視の原理を示す原理図である。
【図７】立体像と視点の位置関係を示す概念図である。
【図８】視点を変えた際における立体像の見え方を示す概念図である。
【図９】視点を変えた際における立体像の見え方を示す概念図である。
【図１０】実施形態の識別媒体の概念図である。
【図１１】光学原理を示す原理図である。
【発明を実施するための形態】
【００４８】
１．第１の実施形態
（構成）
図１には、実施形態の識別媒体１０が示されている。識別媒体１０は、観察する側（観察面側）から、保護層１１、コレステリック液晶層１２、λ／４波長板１４、直線偏光フィルタ層１５、アルミ反射層１６、ホログラム形成層１７、粘着層２２、セパレータ（離型紙）２３と積層配置された構成を有している。
【００４９】
保護層１１は、観察に用いる光を透過する性質を有し、透過する光の偏光の状態を乱さない材質であるＴＡＣ（トリアセチルセルロール）のフィルムにより構成されている。保護層１１は、識別媒体１０の基材および表面保護層として機能する。コレステリック液晶層１２は、第１の光学機能層の一例であり、この例では右旋回で緑の中心波長の円偏光を選択的に反射し、他の成分の光を透過する性質に設定されている。コレステリック液晶層１２には、右目用ホログラム１３が形成されている。右目用ホログラム１３は、型を押し付けられることで形成された凹凸構造（エンボス構造）により構成されている。
【００５０】
λ／４波長板１４は、屈折率異方性を有するフィルム状の高分子材料により構成されている。直線偏光フィルタ層１５は、ある方向の直線偏光を選択的に透過する光学フィルタとしての機能を有し、λ／４波長板１４と組となって円偏光フィルタ層１９を構成している。この例では、観察面側から左旋回の円偏光（左円偏光）がλ／４波長板１４と直線偏光フィルタ層１５の積層体（円偏光フィルタ層１９）に入射した場合に、それが直線偏光としてアルミ反射層１６の側に透過し、また観察面側から右旋回の円偏光（右円偏光）がλ／４波長板１４に入射した場合に、それが直線偏光フィルタ層１５を透過できずにそこで遮断されるように、λ／４波長板１４に対する直線偏光フィルタ層１５の偏光軸（透過させる直線偏光の偏光方向）が決められている。すなわち、左円偏光フィルタ層１９は、観察面側（λ／４板１４の側）から左円偏光が入射した際にそれを図の下方に透過し、観察面側から右円偏光が入射した際にそれを遮断する光学フィルタとして機能する。
【００５１】
ホログラム形成層１７は、ホログラム型が押されることによりホログラムが形成される樹脂の層である。アルミ反射層１６は、ホログラム形成層１７上に形成されたアルミの蒸着層であり、光反射層として機能する。アルミ反射層１６には、左目用ホログラム１８を構成するための凹凸が付与されている。この凹凸は、まずホログラム形成層１７に型押により形成され、その上にアルミ反射層１６を形成した際に、この凹凸に倣ってアルミ反射層１６が分布することで形成される。この例では、λ／４波長板１４、直線偏光フィルタ層１５および左目用ホログラム１８が形成されたアルミ反射層１６によって第２の光学機能層２０が構成されている。
【００５２】
ホログラム形成層１７に接して粘着剤により構成された粘着層２２が設けられている。粘着層２２の露出面には、離型紙として機能するセパレータ２３が貼り付けられている。識別媒体１０を識別の対象となる物品に貼り付ける際に、セパレータ２３が剥がされ、粘着層２２の粘着力によって識別媒体１０が対象物に貼り付けられる。
【００５３】
（製造方法）
まず保護層１１を用意し、その片面にコレステリック液晶層１２を形成する。コレステリック液晶層１２を形成したら、ホログラム型を押し付け、右目用ホログラム１３を構成する凹凸（エンボス模様）をコレステリック液晶層１２に形成する。コレステリック液晶層１２を図示しない基板上に形成し、それを保護層１１上に移し変える方法を採用してもよい。この場合、右目用ホログラム１３を形成するための型押を図示する側と反対の側（観察面側）に行うこともできる。
【００５４】
次にコレステリック液晶層１２の図の下面側にλ／４板１４と直線偏光フィルタ層１５を光透過性の接着剤により固定する。この接着剤による接着層は極力薄くし、透過する光の透過率や偏光の状態への影響がなるべく及ばないようにする。またこの際、λ／４板１４の側から入射した左円偏光が下方に透過し、λ／４板１４の側から入射した右円偏光が遮断されるように、λ／４板１４の遅相軸に対する直線偏光フィルタ層の偏光方向の向きを設定した状態で両者が固定されるようにする。
【００５５】
他方で、ホログラム形成層１７の出発材料（樹脂フィルム材料）を用意し、その片面に型押により左目用ホログラム１８を構成する凹凸を形成する。その後、この凹凸が形成されたホログラム形成層１３の面にアルミニウムの層を蒸着により形成し、アルミ反射層１６を形成する。この際、アルミ反射層１６がホログラム形成層１７表面の凹凸に倣った表面凹凸形状となり、左目用ホログラム１８が形成される。
【００５６】
次に、アルミ反射層１６を上述した接着剤により直線偏光フィルタ層１５に接着し、さらに粘着層２２を形成し、その露出面にセパレータ２３を貼り付けることで、図１、図２に示す識別媒体１０を得る。
【００５７】
（光学原理）
以下、図２を参照して識別媒体１０の基本的な光学機能について説明する。まず、識別媒体１０に観察面側から自然光が入射している状況を考える。この場合、入射光に含まれる緑の右円偏光がコレステリック液晶層１２によって選択的に図２の上方に向かって反射される。そして、他の成分の光は、コレステリック液晶層１２を図の下方に向かって透過する。
【００５８】
このコレステリック液晶層１２を透過した光に含まれる左円偏光は、左円偏光フィルタ１９を透過する。すなわち、コレステリック液晶層１２を透過した光に含まれる左円偏光は、λ／４板１４を透過する際に第１の方向に偏光した直線偏光となり、この直線偏光は、直線偏光フィルタ層１５層を透過し、アルミ反射層１８に至る（言い換えると、このようになるようにλ／４板の遅相軸と直線偏光フィルタ１５層の偏光方向の向きが設定されている）。
【００５９】
一方、図の上から下に向かってコレステリック液晶層１２を透過した光に含まれる緑以外の右円偏光および漏れて透過した緑の右円偏光は、λ／４波長板を透過する際に上記第１の方向と直交する方向に偏光した直線偏光となり、この直線偏光は、直線偏光フィルタ層１５で遮断される。また、図の上から下に向かってコレステリック液晶層１２を透過した光に含まれる直線偏光は、λ／４波長板を透過する際に円偏光となる。この円偏光は、直線偏光フィルタ層１５を一部透過するがそこで損失を受け、減衰する。
【００６０】
こうして、図の上から下に向かってコレステリック液晶層１２を透過した光に含まれる左円偏光の光が主にアルミ反射層１８に到達し、そこから反射される。このアルミ反射層１８からの反射光は、直線偏光フィルタ層１５を図の下から上に向かって透過し、λ／４板１４に図の下の方向から入射する。この図の下からλ／４板１４に入射する直線偏光は、先に説明した第１の方向に偏光しており、λ／４板を図の上の方向に透過した際に、左円偏光となる（図２参照）。この左円偏光は、緑の右円偏光を選択反射する特性とされているコレステリック液晶層１２を図の下から上に向かって透過する。
【００６１】
こうして図２に示すように観察者には、コレステリック液晶層１２から反射した右円偏光とアルミ反射層１６からの反射光を基とする左円偏光とが到達する。この観察者に届く右円偏光は、コレステリック液晶層１２から反射される際に、右目用ホログラム１３の情報を写し取っており、右目用のホログラム画像の情報を含んでいる。また、観察者に届く左円偏光は、その基となる直線偏光がアルミ反射層１６から反射される際に、左目用ホログラム１８の情報を写し取っており、左目用のホログラム画像の情報を含んでいる。
【００６２】
そして、上記観察者に到達する右円偏光は、アルミ反射層１６からの反射光の影響がないので、左目用の画像の情報を含んでいない。また、上記観察者に到達する左円偏光は、コレステリック液晶層１２を透過する光であり、コレステリック液晶層１２によって光学変調されないので、右目用の画像の情報を含んでいない。
【００６３】
図３には、右目３１の前に右円偏光を透過して左円偏光を遮断する右円偏光フィルタ３３を配置し、左目３２の前に左円偏光を透過して右円偏光を遮断する左円偏光フィルタ３４を配置した状態で、識別媒体１０を観察した場合の原理図が示されている。
【００６４】
図２に関連して説明したように、識別媒体１０からは右円偏光と左円偏光が反射される。ここで、識別媒体１０から反射される右円偏光は、コレステリック液晶層１２からの反射光であり、右目用ホログラム１３の画像情報を含んでいる。また、識別媒体１０から反射される左円偏光は、アルミ反射層１６からの反射光に基づくものであり、左目用ホログラム１８の画像情報を含んでいる。
【００６５】
従って、図３に示す状態で識別媒体１０を観察すると、右目用ホログラム１３からの右円偏光は、右円偏光フィルタ３３を透過し、左円偏光フィルタ３４で遮断されるので、右目３１で見え、左目３２で見えない。他方で、左目用ホログラム１８からの反射光が基となる左円偏光（図２参照）は、右円偏光フィルタ３３で遮断され、左円偏光フィルタ３４を透過するので、右目３１で見えず、左目３２で見える。つまり、右目３１が右目用ホログラム１３を選択的に視認し、左目３２が左目用ホログラム１８を選択的に視認する。
【００６６】
この結果、右目用ホログラムと左目用ホログラムとが視覚中枢で合成され、立体像３５が結像する。こうして、立体像の観察が行われる。なお、右円偏光フィルタ３３と左円偏光フィルタ３４を利用せずに、識別媒体１０を直視すると、左右の目で、ホログラム１３の像とホログラム１８の像を同時に見ることになるので、左右に２重にぶれた像が観察される。
【００６７】
（ホログラム加工）
凹凸加工によるホログラムは、見る角度によって別のホログラム像が見えるようにすることが可能である。例えば、図７には、立体像の対象となる立方体３００をＸ１、Ｘ２、Ｘ３、Ｙ１、Ｙ２の５つの視点（見る角度）から見た場合の状況が示されている。図８には各視点から見た立方体３００の見え方が示されている。ここで、図８の各立方体に付されているＸ１、Ｘ２、Ｘ３、Ｙ１、Ｙ２は、図７の視点に対応している。すなわち図８には、識別媒体１０に対する視点の変更により、Ｘ１、Ｘ２、Ｘ３、Ｙ１、Ｙ２の５つの画像の切り替わりが行われる例が示されている。なお、図８（Ｂ）において、立方体３００を前方少し上方から見た状態がされている。
【００６８】
ホログラム加工を行うに先立ち、まずホログラム型を形成する。ホログラム型を形成するには、まず図７に示す各視点の位置から見た場合に、ホログラム像を再現するための回折格子を構成する回折格子を形成する。この回折格子は、感光材料に電子ビーム露光装置からの電子ビームを照射し、回折格子として機能する構造に感光を行うことで形成される。この技術に関しては、例えば特開平５−２１４８号公報に記載されている。この回折格子は、右目用と左目用が別に形成される。
【００６９】
次にこの回折格子を形成した感光材料を原版として、エンボス加工用の押し型（ホログラム型）を作成する。この押し型は、上記回折格子を凹凸模様によって再現する型となる。この押型は、右目用と左目用とが作製される。そして右目用の型が右目用ホログラム１３の形成に利用され、左目用の型が左目用ホログラム１８の形成に利用される。
【００７０】
この押型は、図４に示すように見る角度の違いに応じた種類の画素群を備えている。図４には、図８のＸ１、Ｘ２、Ｘ３、Ｙ１、Ｙ２の５つの立体像の素となる画素群の位置取り（区分け）の例が示されている。図４において、領域Ｘ１は、図７の視点Ｘ１から見た場合のホログラム像を構成する凹凸構造（干渉模様）による画素を構成する。領域Ｘ２は、図７の視点Ｘ２から見た場合のホログラム像を構成する凹凸構造による画素を構成する。領域Ｘ３は、図７の視点Ｘ３から見た場合のホログラム像を構成する凹凸構造による画素を構成する。領域Ｙ１は、図７の視点Ｙ１から見た場合のホログラム像を構成する凹凸構造による画素を構成する。領域Ｙ２は、図７の視点Ｙ２から見た場合のホログラム像を構成する凹凸構造による画素を構成する。図４には、３×３の画素の組み合わせが示されているが、実際には、Ｎ×Ｍのマトリクス状に画素が配列される。図４の画素の構造は、右目用ホログラムの場合と左目用ホログラムの場合で同じである。
【００７１】
すなわち視点Ｘ１に係る右目用のホログラム型においては、図７における立方体３００の位置に識別媒体１０を置いた場合に、視点Ｘ１から見た立方体３００の右目用ホログラム像が構成されるように、領域Ｘ１の割り当てが設定される。言い換えると、図７における立方体３００の位置に識別媒体１０を置き、マトリクス状に配置された複数のＸ１の画素の集まりをＸ１の視点から見た場合に、立方体３００を視点Ｘ１から見た場合の右目用のホログラム像が得られるように、右目用ホログラム像を複数の画素に分割し、それを図４に示す凹凸構造の領域Ｘ１に割り当ててある。これは、Ｘ２、Ｘ３、Ｙ１、Ｙ２においても同じである。
【００７２】
同様に、視点Ｘ１に係る左目用のホログラム型においては、図７における立方体３００の位置に識別媒体１０を置いた場合に、視点Ｘ１から見た立方体３００の左目用ホログラム像が構成されるように、領域Ｘ１の割り当てが設定される。言い換えると、図７における立方体３００の位置に識別媒体１０を置き、マトリクス状に配置された複数のＸ１の画素の集まりをＸ１の視点から見た場合に、立方体３００を視点Ｘ１から見た場合の左目用のホログラム像が得られるように、左目用ホログラム像を複数の画素に分割し、それを図４に示す凹凸構造の領域Ｘ１に割り当ててある。これは、Ｘ２、Ｘ３、Ｙ１、Ｙ２においても同じである。
【００７３】
以上が右目用のホログラム型と左目用のホログラム型の詳細である。このホログラム型を押し付けることで、ホログラム型が転写され、図１、図２の右目用ホログラム１３と左目用ホログラム１８が形成される。なお、各領域は、見え方を同じにするために、同じ面積比となるように区割りされている。
【００７４】
例えば、このホログラム型を用いた右目用ホログラム１３は、マトリクス状に配置された複数のＸ１の領域が集まって、図８の立体像Ｘ１の右目用のホログラム像を構成し、マトリクス状に配置された複数のＸ２の領域が集まって、図８の立体像Ｘ２の右目用のホログラム像を構成し、マトリクス状に配置された複数のＸ３の領域が集まって、図８の立体像Ｘ３の右目用のホログラム像を構成し、マトリクス状に配置された複数のＹ１の領域が集まって、図８の立体像Ｙ１の右目用のホログラム像を構成し、マトリクス状に配置された複数のＹ２の領域が集まって、図８の立体像Ｙ２の右目用のホログラム像を構成する。
【００７５】
また例えば、このホログラム型を用いた左目用ホログラム１８は、マトリクス状に配置された複数のＸ１の領域が集まって、図８の立体像Ｘ１の左目用のホログラム像を構成し、マトリクス状に配置された複数のＸ２の領域が集まって、図８の立体像Ｘ２の左目用のホログラム像を構成し、マトリクス状に配置された複数のＸ３の領域が集まって、図８の立体像Ｘ３の左目用のホログラム像を構成し、マトリクス状に配置された複数のＹ１の領域が集まって、図８の立体像Ｙ１の左目用のホログラム像を構成し、マトリクス状に配置された複数のＹ２の領域が集まって、図８の立体像Ｙ２の左目用のホログラム像を構成する。
【００７６】
（立体像が切り替わる機能）
以下、見る角度を変えると、観察される立体像が切り替わる光学機能について説明する。ここでは、図３に示すように右目の前に右円偏光フィルタを配置し、左目の前に左円偏光フィルタを配置した状態で識別媒体１０を観察する場合を説明する。また、識別媒体１０は、観察面を矢印３０１の方向に向けて位置させた状態であるとする。まず、視点Ｘ１から符号３００の位置に置いた識別媒体１０を観察する場合を説明する。
【００７７】
この場合、図４のＸ１の領域からの反射光が図７のＸ１の位置において結像し、他のＸ２、Ｘ３、Ｙ１、Ｙ２からの反射光は、Ｘ１の視点の位置で結像しない。そのため、観察される右目用ホログラムと左目用ホログラムは、図７の視点Ｘ１からのものとなり、図８（Ａ）の立体ホログラム像が観察される。
【００７８】
また同様の原理により、図７のＸ２の視点から符号３００の位置にある識別媒体１０を観察した場合、観察される右目用ホログラムと左目用ホログラムは、図７の視点Ｘ２からのものとなり、図８（Ｂ）の立体ホログラム像が観察される。同様に、図７のＸ３、Ｙ１、Ｙ２の各視点から見た立体像は、図８のＸ３、Ｙ１、Ｙ２の立体像となる。この場合、立方体３００を回転させた際の見え方の変化を示す立体像が観察される。
【００７９】
図８には、識別媒体１０に対する視点の変更（見る角度の変更）により、観察対象物を異なる方向から見たかのような切り替わりが観察される例が示されているが、立体像が別の立体像に切り替わる形態も可能である。図９には、その一例が示されている。この場合、識別媒体１０に対する視点を変えると（あるいは識別媒体１０を傾けると）、図９（Ａ）〜（Ｅ）に示すように観察される各立体像が切り替わる。
【００８０】
視点の変更による像の切り替わりは、上下左右に限定されず、左右のみ（例えば、図７のＸ１、Ｘ２、Ｘ３）、上下のみ（例えば、図７のＸ１、Ｙ１、Ｙ２）であってもよい。用意する視点の数（像の数）も図示する例に限定されない。
【００８１】
（識別機能）
識別媒体１０を直接観察すると、左右のホログラム像が２重にぶれて見える。右円偏光フィルタを介して識別媒体１０を観察すると、右目用ホログラム１３のホログラム像が緑に見える。左円偏光フィルタを介して識別媒体１０を観察すると、左目用ホログラム１８のホログラム像が特に色が付かない状態で見える。図３に示すように識別媒体１０を左右の円偏光フィルタを介して両目で見ると、立体のホログラム像が形成される。またこの際、識別媒体１０を見る視点を変更すると（あるいは識別媒体１０を傾けると）、図８や図９に示すような立体のホログラム像の切り替わりが観察される。これらの見え方の違いを利用して真贋を判定する識別機能が得られる。
【００８２】
（優位性）
まず、上述した特異な識別機能が得られる。次に、コレステリック液晶層を１層しか用いないので、コレステリック液晶層を２層用いる場合に比較して低コスト化できる。他方で、一方の目用のホログラム像は、コレステリック液晶層に形成されたホログラムに基づくので、偽造防止性は高く維持できる。
【００８３】
ところで、右目で左目用のホログラム像が見え、左目で右目用のホログラム像が見えると、立体像の鮮明さが損なわれるが、本実施形態では円偏光フィルタ層１９を配置することで、左右の目用のホログラム像の分離を高い精度で行えるので、より鮮明な立体像が視認できる。
【００８４】
以下この点について詳細に説明する。図1、図2の識別媒体において、コレステリック液晶層１２は、緑の右円偏光を選択的に反射する設定とされており、右目用ホログラム１３の光学情報を含んでおり、これ以外の光は透過する。この透過した光に含まれる右円偏光成分が左円偏光フィルタ層１９により遮断され、左円偏光成分は透過し、アルミ反射層１６で左目用ホログラム１８の情報を含んで反射され、再び左円偏光フィルタ層１９を透過する際に左円偏光となる。この左円偏光はコレステリック液晶１２の右目用ホログラム１３の光学変調を受けずに透過するため、左右の目用のホログラム情報が混ざらない。
【００８５】
このように円偏光フィルタ層１９を配置し、左右の円偏光を分離するフィルタ特性を利用することで、右目用のホログラム像と左目用のホログラム像とを高い精度で分離でき、鮮明な立体像を観察することができる。
【００８６】
（第１の実施形態の応用例）
直線偏光フィルタ層１５とアルミ反射層１６との間にコレステリック液晶層１２が選択反射する波長（上記の例の場合は緑に相当する波長）を選択的に透過するカラーフィルタ層を配置する。こうすることで、識別媒体１０からの左右の円偏光の色を揃えることができる。この場合、特定の中心波長の光で左右のホログラム像が形成されるので、不要な干渉光を排除でき、より鮮明な立体像を視認することができる。
【００８７】
なお、このカラーフィルタ層の色を選択することで、識別媒体１０から反射される左右の円偏光の色を意図的に異なる色とし、それを識別に利用する構成も可能である。この場合、例えば右円偏光フィルタで見ると、緑の像が見え、左円偏光フィルタで見ると赤の像が見え、右目の前に右円偏光フィルタを配置し、左目の前に左円偏光フィルタを配置すると緑と赤が合成された色彩の立体像が観察される。この場合も特定の波長の光で左右の目用のホログラム像が構成されるので、鮮明な像を観察することができる。
【００８８】
図１の識別媒体１０において、保護層１１上に離型層と基材層を配置した構造も可能である。この構成では、離型層は保護層１１と基材層とを一体化させる粘着性と、基材層を識別媒体１０から剥がした際に保護層１１から容易に剥がれる機能を有している。この場合、セパレータ２３を剥がした状態で粘着層２２を対象物に押し付け、その後に基材層を剥がすと、離型層と基材層が一体となったものが保護層１１から剥がれ、対象物に識別媒体１０が貼り付けられた状態で固定される。
【００８９】
（その他）
以上の説明において、右円偏光と左円偏光の役割を入れ替えた構成も可能である。この場合、コレステリック液晶層１２から左円偏光が選択的に反射される設定とし、符号１９の円偏光フィルタ層を、観察面側から入射した右円偏光を選択的に透過する右円偏光フィルタ層とする。また、符号１３の部分を左目用ホログラムとし、符号１８の部分を右目用のホログラムとすることも可能である。また、コレステリック液晶層１２が選択的に反射する波長は、緑に相当する波長に限定されず、視認可能な波長であれば、赤等の他の波長の光であってもよい。アルミ反射層は、可視光の反射層として機能すればよいので、適当な金属の層で代用することできる。
【００９０】
またアルミ反射層１６の代わりに屈性率の異なる２種類の光透過性のフィルムを交互に多層（数十層〜数百層）に積層した多層薄膜フィルムを用いることもできる。この場合、多層薄膜フィルムにホログラム１８が形成される。この場合、多層薄膜中の異なる屈折率が接する多数の界面からの反射光の干渉光が反射光として活用される。この反射光は、干渉により生成されるので、特定の見る角度において特定の波長が強いピークを有する。このため、特定の見る角度において、第２の光学機能層２０からの特定の色の立体像が浮かび上がって見える。また、見る角度を変えると、第２の光学機能層２０からの反射光の中心波長が変化するので、視認している立体像の色彩が変化する。
【００９１】
２．第２の実施形態
（構成）
図５には、発明を利用した識別媒体１００が示されている。識別媒体１００は、視認する側（観察を行う側）から、表面保護層１０１、第１のコレステリック液晶層１０２、λ／２板（１／２波長板）１０３、第２のコレステリック液晶層１０４、粘着層１０５と積層された構造を有している。
【００９２】
表面保護層１０１は、識別に用いる光を透過し、且つ、透過光の偏光特性を乱さない材質（例えば、ＴＡＣ（トリアセチルセルロール））により構成されている。第１のコレステリック液晶層１０２は、予め決められた中心波長（例えば、緑色に見える波長）の右円偏光（または左円偏光）の光を選択的に反射する特性に設定されている。第１のコレステリック液晶層１０２には、ホログラム１０２ａが形成されている。ホログラム１０２ａは、型を押し付けることで形成される凹凸により構成されている。この例では、ホログラム１０２ａにより、右目が見るためのホログラム像が表示される設定とされている。
【００９３】
λ／２板１０３は、複屈折性を有する材料を用いて構成されたフィルムである。λ／２板１０３は、直線偏光の光を遅相軸と４５°の角度で入射させると、偏光方向が９０°回転した出射光が得られ、また円偏光を入射させると、旋回方向が反転し、逆旋回方向の円偏光が出射される光学特性を有する。
【００９４】
第２のコレステリック液晶層１０４は、第１のコレステリック液晶層１０２と同じものとされている。第２のコレステリック液晶層１０４には、ホログラム１０４ａが形成されている。ホログラム１０４ａは、型を押し付けることで形成される凹凸により構成されている。この例では、ホログラム１０４ａにより、左目が見るためのホログラム像が表示される設定とされている。
【００９５】
ここで、右目が見るホログラム像と左目が見るホログラム像とは、視差の分ずれた像である。この２つのホログラム像を両目で独立に同時に見ることで、それが視覚中枢により合成されて立体像が認識される。各ホログラム像は、立体像を撮像するためのカメラにより撮像した画像データから得ることができる。
【００９６】
粘着層１０５は、識別媒体１００を識別対象となる物品に貼り付けるため役割がある。粘着層１０５は、黒の顔料が混ぜられた粘着材料により構成され、光吸収層としても機能する。なお、物品に貼り付ける前の状態で、粘着層１０５の露出した表面に離型紙が貼り付けられているが、図１では図示省略されている。また、粘着層１０５を構成する粘着材料に混ぜるのは、黒の顔料に限定されず、暗色な顔料でもよい。また、顔料ではなく、染料であってもよい。
【００９７】
識別媒体１００では、第１のコレステリック液晶層１０２によって、第１の光学機能層が構成されている。また、λ／２板１０３と第２のコレステリック液晶層１０４によって第２の光学機能層が構成されている。
【００９８】
識別対象となる物品としては、パスポート、各種身分証明書、運転免許証等の各種資格証明書、書類、クレジットカード等の各種カード、入室許可証等の各種許可証、乗車パス、定期券、紙幣、金券、証券、商品券、絵画、切符、公共競技投票券、各種記録媒体、衣類、鞄等の各種小物、電子機器およびその周辺装置、電子部品、電池、各種製品のパッケージ、各種タグ、包装紙等が挙げられる。これは他の実施形態でも同じである。
【００９９】
（製造方法）
図５の識別媒体１００の製造方法の一例を説明する。まず、表面保護層１０１を用意する。そして、表面保護層１０１の観察面と反対側の面（図５の下面の側）に配向処理を施し、第１のコレステリック液晶層１０２を形成する。第１のコレステリック液晶層１０２を形成したら、ホログラム加工を行うための型を第１のコレステリック液晶層１０２に押し付け、第１のコレステリック液晶層１０２に対するホログラム１０２ａの形成を行う。
【０１００】
他方で、λ／２板１０３を用意し、その表面に配向処理を施して、第２のコレステリック液晶層１０４を形成する。第２のコレステリック液晶層１０４は、第１のコレステリック液晶層１０２と同じものである。第２のコレステリック液晶層１０４を形成したら、ホログラム加工を行うための型を第２のコレステリック液晶層１０４に押し付け、第２のコレステリック液晶層１０４に対するホログラム１０４ａの形成を行う。
【０１０１】
そして、λ／２板１０３の第２のコレステリック液晶層１０４を形成しなかった面の側を第１のコレステリック液晶層１０２に貼り合わせる。この貼り合わせは、光透過性の接着剤または粘着剤を用いて行う。次いで、第２のコレステリック液晶層１０４の露出している面に粘着層１０５を形成する。こうして、図５に示す識別媒体１００が得られる。
【０１０２】
なお、コレステリック液晶層が反射する光の中心波長は、可視光の範囲内であれば、選択が可能である。ここでは、一例として緑色の場合を例示したが、赤色、青色、黄色、その他であってもよい。また、反射光の旋回方向も右旋回に限定されず左旋回を選択することができる。
【０１０３】
（光学原理１）
図６には、識別媒体１００から立体像を観察する原理が示されている。この例では、識別媒体１００を観察する際に、右目２０３の前に右円偏光を透過し、左円偏光を遮断する光学フィルタ（右円偏光フィルタ）２０１を配置し、左目２０４の前に左円偏光を透過し、右円偏光を遮断する光学フィルタ（左円偏光フィルタ）２０２を配置する。そして、光学フィルタ２０１を介して、右目２０３で識別媒体１００を観察し、光学フィルタ２０２を介して、左目２０４で識別媒体１００を観察する。
【０１０４】
観察する側から識別媒体１００に入射した自然光のうち、特定波長の右円偏光が第１のコレステリック液晶層１０２から反射される。この反射光は、光学フィルタ２０２を透過せず、光学フィルタ２０１を透過するので、右目２０３で視認される。この結果、右目２０３は、ホログラム１０２ａにより形成される右目用のホログラム像を視認する。
【０１０５】
一方、観察する側から識別媒体１００に入射した自然光のうち、特定中心波長の左円偏光は、第１のコレステリック液晶層１０２を透過し、１／２波長板１０３に到達する。そして、この特定波長の左円偏光は、１／２波長板１０３を透過する過程で右円偏光となり、第２のコレステリック液晶層１０４において反射される。この反射光は、１／２波長板１０３を下から上に透過し、その際に左円偏光となり、第１のコレステリック液晶層１０２を下から上に透過する。第１のコレステリック液晶層１０２を下から上に透過した第２のコレステリック液晶層１０４からの反射光は、特定中心波長の左円偏光であり、光学フィルタ２０１で遮断され、光学フィルタ２０２を透過する。よって、第２のコレステリック液晶層１０４からの反射光は、左目２０４で視認される。
【０１０６】
結果として、右目２０３は、ホログラム１０２ａにより形成される右目用のホログラム像を視認し、それとは別に左目２０４は、ホログラム１０４ａにより形成される左目用のホログラム像を視認する。なお、第１のコレステリック液晶層１０２および第２のコレステリック液晶層１０４を透過した光成分は、黒色の粘着層１０５で吸収される。
【０１０７】
こうして右目２０３で右目用のホログラム像を視認し、同時に、左目２０４で左目用のホログラム像を視認する。この結果、虚像２０５が立体像として認識される。以上が、識別媒体１００を観察することで立体像が観察できる原理である。
【０１０８】
なお、第１のコレステリック液晶層１０２と第２のコレステリック液晶層１０４を左円偏光が選択的に反射される設定とし、ホログラム１０２ａを左目が視認するホログラム像用とし、ホログラム１０４ａを右目が視認するホログラム像用としてもよい。この場合、ホログラム１０４ａからの反射光（左円偏光）は、１／２波長板１０３を透過する際に右円偏光となり観察者側に届く。光学フィルタ２０１は、右円偏光を選択的に透過するので、このホログラム１０４ａからの反射光は右目で視認される。他方で、ホログラム１０２ａからの反射光（左円偏光）は、そのまま観察者側に届き、右円偏光を選択的に遮断する光学フィルタ２０２を透過して、左目２０４で視認される。こうして、右目２０３で右目用のホログラム１０４ａからの反射光を見、左目２０４で左目用のホログラム１０２ａからの反射光を見ることができ、立体像の観察が行える。
【０１０９】
また、コレステリック液晶層は同じまま（右旋回円偏光を選択的に反射）で、ホログラム１０２ａを左目が視認するホログラム像用とし、ホログラム１０４ａを右目が視認するホログラム像用としてもよい。この場合、光学フィルタを入れ換え、光学フィルタ２０１として左円偏光を選択的に透過するものを用い、光学フィルタ２０２として右円偏光を選択的に透過するものを用いる。観察においては、ホログラム１０２ａからの反射光（右円偏光）が、光学フィルタ２０２を介して左目２０４で視認され、ホログラム１０４ａからの反射光（左円偏光）が、光学フィルタ２０１を介して右目２０３で視認される。
【０１１０】
（ホログラム加工）
以下、ホログラム１０２ａとホログラム１０４ａについて説明する。詳細は、第１の実施形態の場合と同じであるので、要点のみを説明する。図７は、観察される像の対象物３００と視点との位置関係を示す概念図であり、図８は観察される立体像の概念図である。ここでは、観察対象３００を正面（視点Ｘ２）、左斜め前方（視点Ｘ１）、右斜め前方（視点Ｘ３）、上斜め前方（視点Ｙ２）、下斜め前方（視点Ｙ１）から見る場合について説明する。また、像として視認される対象物３００は、立方体であるとする。
【０１１１】
この場合、Ｘ１、Ｘ２、Ｘ３、Ｙ１、Ｙ２の５つと視点から見た右目用と左目用のホログラム像（計１０画像）が用意される。これらのホログラム像を用意したら、右目用および左目用のホログラム像（各５画像）を再現するための回折格子を形成する。ここでは、まず図７に示す各視点の位置から見た場合に、ホログラム像を再現するための回折格子を形成する。この回折格子は、感光材料に電子ビーム露光装置からの電子ビームを照射し、回折格子として機能する構造に感光を行うことで形成される。この技術に関しては、例えば特開平５−２１４８号公報に記載されている。この回折格子は、右目用と左目用が別に形成される。
【０１１２】
次にこの回折格子を形成した感光材料を原版として、エンボス加工用の押し型を作成する。この押し型は、上記回折格子を凹凸模様によって再現する型となる。この押し型は、右目用と左目用とが作製される。この押し型の右目用のものをコレステリック液晶層１０２に押し付け、コレステリック液晶層１０２の表面に回折格子として機能する凹凸（エンボス模様）を形成することで、右目用のホログラム１０２ａが設けられる。また、上記押し型の左目用のものをコレステリック液晶層１０４に押し付け、コレステリック液晶層１０４の表面に回折格子として機能する凹凸（エンボス模様）を形成することで、左目用のホログラム１０４ａが設けられる。
【０１１３】
（光学原理２）
右目の前に右旋回円偏光を選択的に透過する光学フィルタを配置し、左目の前に左旋回円偏光を選択的に透過する光学フィルタを配置した状態で、識別媒体１００を観察する場合を説明する。なお、ホログラム１０２ａと１０４ａによって、図７に示す立法体の対象物３００の記憶がされているものとする。
【０１１４】
まず、対象物３００の位置に識別媒体１００を置き、それを左斜め前（図７の視点Ｘ１）から観察する場合を説明する。この場合、図８(Ａ)に示す像Ｘ１が立体像として観察される。すなわち、対象物３００をその左斜め前から観察した状態の立体像が見える。この場合、観察する側から見て、対象物３００の右側の側面が見える。
【０１１５】
次に、対象物３００の位置に置いた識別媒体１００を正面（図７の視点Ｘ２）から見ると、図８(Ｂ)に示す像Ｘ２が観察される。なお、この例では、正面といっても、視点Ｘ２は、真正面ではなく、立体感が得られ易いように、正面やや上方からの視点とされている。
【０１１６】
同様に、図７のＸ３の視点から対象物３００の位置に置いた識別媒体１００を見ると、図８(Ｃ)に示す像Ｘ３が観察される。この場合、対象物３００を右斜め前の方向から見た様子が観察される。この場合、観察する側から見て、対象物３００の左側の側面が見える。また、図７のＹ１の視点から対象物３００の位置に置いた識別媒体１００を見ると、図８（Ｄ）に示す像Ｙ１が観察される。この場合、対象物３００を前方斜め下の方向から見た様子が観察される。この場合、観察する側から見て、対象物３００の下面が見える。また、図７のＹ２の視点から対象物３００の位置に置いた識別媒体１００を見ると、図８（Ｅ）に示す像Ｙ２が観察される。この場合、対象物３００を前方斜め上の方向から見た様子が観察される。この場合、観察する側から見て、対象物３００の上面が見える。
【０１１７】
図８を見れば分かるように、ここで観察される立体像は、視点の位置を変更すると、立体像の見え方が変わる。すなわち、識別媒体を回転させることで、視認対象物（この場合は立方体）をあたかも回転させたかのような見え方の変化が生じる。
【０１１８】
また、図８の像Ｘ２に比較して他の像は、識別媒体に対する視線の角度が大きくなり、識別媒体をより斜めの角度から見ることになるので、カラーシフトが観察される。カラーシフトは、干渉光がより短波長側にシフトする現象であるので、像Ｘ２に比較して、他の像は、より短波長側の色合いに見える。この色合いの変化も識別に利用される。
【０１１９】
（優位性）
本実施形態によれば、識別に利用する像として立体像が利用できる。そして、例えば、識別媒体を傾けると、立体感のあるロゴが回転するような見え方をする識別媒体が得られる。
【０１２０】
普通の光透過性の材料に形成され、アルミ蒸着などの反射層のあるエンボスホログラム加工は、感光材料がその上に密着させた状態で、紫外域のレーザ光などによるこの感光材料の感光を行うことで、ホログラム加工を構成するエンボス構造（凹凸構造）を比較的容易に写し取ることができる。一方、コレステリック液晶層は、特定の中心波長の光を選択的に反射する性質を持っている。よって、上述した複製の技術では、その反射スペクトル特性に合った感光特性の感光材料が必要とされる。しかしながら、コレステリック液晶層の反射特性に合った感光特性の感光材料を用意するのは、困難である。このため、コレステリック液晶層に設けられたホログラム加工の複製は、原版を入手しない限り困難となる。
【０１２１】
また、立体像の場合は、左右の目の視差を利用しているので、微妙な誤差が立体像の再現性に影響する。このため、本実施形態に示す識別媒体をリバースエンジニアリングにより再現するのは、より困難となる。
【０１２２】
また、上述したようにコレステリック液晶層は、特定の波長を中心した反射光を反射する（言い換えると、特定の色の反射光を反射し、他の色成分は透過する）。このため、鮮明な像を観察することができる。通常の光透過性の材料に形成され、アルミ蒸着などの反射層のあるエンボスホログラムは、自然光の全波長の光が異なった角度に回折するので、本来は認識させたくない色の干渉光も視認されてしまう。これは、像のボケや滲みの要因となる。本実施形態の場合、上述した特定の中心波長の光を反射するというコレステリック液晶層の光学特性により、上述した不要な波長の干渉の発生を抑えることができる。このため、ボケや滲みのない鮮明な立体像を得ることができる。
【０１２３】
また、カラーシフトに起因する色合いの変化は、コレステリック液晶層の層構造の寸法割合等の影響を大きく受けたものとなるので、製造条件の詳細が分からなければ再現は困難となる。このため、高い耐偽造性を得ることができる。例えば、図８の像Ｘ２と像Ｘ１の色合いの違いを正確に偽造により再現することは困難となる。勿論、上述のように像Ｘ２と像Ｘ１の立体感を偽造により再現することも困難であるので、２重の意味で偽造が困難となる。
【０１２４】
（その他１）
粘着層１０５を可視光に対して透明な材質（向こう側が視認できれば半透明でもよい）としてもよい。この場合、識別媒体１００を直接見ると、第１のコレステリック液晶層１０２および第２のコレステリック液晶層１０４で反射する以外の光は透過するため、識別媒体１００が貼り付けられる物品の表面の表示が透けて明瞭に見える。また、２つのコレステリック液晶層からの反射光は、薄く見え、虚像（立体像）も鮮明には見えない。
【０１２５】
そして、右目の前に右旋回円偏光を透過する光学フィルタを配置し、左目の前に左旋回円偏光を透過する光学フィルタを配置した状態で識別媒体１００を見ると、コレステリック液晶層１０２からの右目像とコレステリック液晶層１０４からの左目像とが立体像として像を結び、浮かび上がって見える。この場合、下地(物品の表面の表示)はほとんど見えない。この見え方の変化を利用して識別を行うことができる。
【０１２６】
（その他２）
識別媒体に対する見る角度を変えた場合に、立体像が回転するのではなく、異なる立体像に切り替わる表示を行うことも可能である。以下、この一例を説明する。この例では、図７の視点Ｘ１、Ｘ２、Ｘ３、Ｙ１、Ｙ２に対応させて、これら各視点から識別媒体１００を見た場合に、図９のＸ１’、Ｘ２’、Ｘ３’、Ｙ１’、Ｙ２’の各立体像が見られるようにホログラム１０２ａ、１０４ａを形成する。
【０１２７】
この場合、図７の符号３００の位置に識別媒体１００を置き、正面を視点Ｘ２に向けた状態において、右目の前に右旋回円偏光を選択的に透過する光学フィルタを配置し、左目の前に左旋回円偏光を選択的に透過する光学フィルタを配置し、識別媒体１００を観察する。この際、視点Ｘ１から識別媒体を見ると、図９（Ａ）の立体像Ｘ１’が観察され、視点Ｘ２から識別媒体を見ると、図９（Ｂ）の立体像Ｘ２’が観察され、視点Ｘ３から識別媒体を見ると、図９（Ｃ）の立体像Ｘ３’が観察され、視点Ｙ１から識別媒体を見ると、図９（Ｄ）の立体像Ｙ１’が観察され、視点Ｙ２から識別媒体を見ると、図９（Ｅ）の立体像Ｙ２’が観察される。
【０１２８】
この例では、この立体像の切り替えによって、識別が行われる。例えば、図９に示す文字の並びを製品名のロゴや製造会社のロゴとすることで、高い識別性を得ることができる。なお、光学フィルタを用いず、識別媒体１００を直視した場合、Ｘ１’、Ｘ２’、Ｘ３’、Ｙ１’、Ｙ２’の各像は、立体像として結像せず、２重にぶれた不鮮明な像として観察される。
【０１２９】
また、カラーシフトの影響で、図９の像Ｘ２’に比較して、他の像は、より短波長側の色合いに見える。この色合いの変化も識別に利用される。このカラーシフトの色合いの変化は、コレステリック液晶層の層構造のピッチで決まり、製造条件や原材料が分からなければ簡単には再現できない。このため、高い耐偽造性を得ることができる。
【０１３０】
例えば、像Ｘ２’と像Ｙ２’の色合いの違いを正確に偽造により再現することは困難となる。勿論、そもそも像Ｘ２’と像Ｙ２’の立体感を偽造により再現することも困難であるので、２重の意味で偽造が困難となる。
【０１３１】
（その他３）
図５に示す識別媒体１００において、λ／２板を用いない構成も可能である。以下、その一例を説明する。この場合、識別媒体１００において、λ／２板の代わりに光透過性で透過する光の偏光の状態に影響を与えない材料の層（例えば、ＴＡＣフィルム）を採用する（あるいはλ／２板を取り去る）。また、第２のコレステリック液晶層１０４を、その反射光の旋回方向が第１のコレステリック液晶層１０２と逆旋回方向となるようにする。この場合、λ／２板は必要なくなり、製造面、コスト面で有利となる。他方で、反射光の旋回方向の設定が逆向きの２種類のコレステリック液晶層を用意する必要がある。
【０１３２】
（その他４）
図８または図９に示す立体像の変化において、横方向の変化のみ（あるいは縦方向の変化のみ）が行われるようにしてもよい。この場合、左右方向に識別媒体を傾けると（あるいは視点の位置を移動させると）、Ｘ１⇔Ｘ２⇔Ｘ３あるいはＸ１’⇔Ｘ２’⇔Ｘ３’の変化が観察され、上下方向に識別媒体を傾けると（あるいは視点の位置を移動させると）、見えている像の色合いが、短波長側にシフトする。
【０１３３】
（その他５）
図８に示す立体像の変化と図９に示す立体像の変化とを組み合わせた表示機能とすることもできる。例えば、左右方向に識別媒体を傾けると（あるいは視点の位置を移動させると）、Ｘ１⇔Ｘ２⇔Ｘ３と観察像が変化し、図８のＸ２の像が見えている状態で識別媒体を上下に傾けると、図９のＹ１’、Ｙ２’に像が変化する表示機能とすることもできる。この場合、視点を変えて立体像を観察した場合の視覚効果と、視点を変えると立体像が他の立体像に切り替わる効果とを、識別媒体の傾きや視点の位置の変更により得ることができる。
【０１３４】
（その他６）
図示した例示では、５箇所の視点から見た像を用いる例を説明しているが、視点の数は、それに限定されない。例えば、識別媒体を傾けることで、立体像の回転が数十段階に変化する見え方や、立体像が数十の異なる像に切り替わるようにしてもよい。
【０１３５】
（その他７）
利用する像は、実存する物体に基づくものではなく、コンピュータグラフィックス等で作成した像であってもよい。また架空の存在であってもよい。コンピュータグラフィックスを利用する場合も、左右の目用の像を作成し、その像を電子ビームにより描画してエンボス型を作製すればよい。
【０１３６】
（補足）
以下、第２の実施形態に利用される発明の摘要を記す。この発明は、第１のホログラムを備え、第１の偏光特性を有する反射光を反射する第１の光学機能層と、前記第１の光学機能層と積層され、第２のホログラムを備え、第２の偏光特性を有する反射光を反射する第２の光学機能層とを備え、前記第１の光学機能層と前記第２の光学機能層とは、コレステリック液晶層を含み、前記第１の偏光特性を有する反射光と前記第２の偏光特性を有する反射光とは、偏光フィルタにより分離が可能であり、前記第１のホログラムにより左右の目の一方で視認するための第１のホログラム像が形成され、前記第２のホログラムにより前記左右の目の他方で視認するための第２のホログラム像が形成され、前記第１のホログラム像と前記第２のホログラム像により立体像が形成されることを特徴とする識別媒体として把握される。
【０１３７】
ここで、観察面側から第１の光学機能層、第２の光学機能層と配置され、第１の光学機能層は、一方の旋回方向の円偏光を反射するコレステリック液晶層であり、前記第２の光学機能層は、他方の旋回方向の円偏光を反射するコレステリック液晶層である場合が挙げられる。この構成によれば、第１および第２の光学機能層は、特定の中心波長で、且つ、互いに逆旋回方向の円偏光を選択的に反射する。ここで、反射する中心波長は、第１および第２の光学機能層で同じ中心波長としてもよいし、異なる中心波長としてもよい。
【０１３８】
また上記の構成において、視認する側から前記第１の光学機能層、前記第２の光学機能層と配置されており、前記第１の光学機能層は、一方の旋回方向の円偏光を反射する第１のコレステリック液晶層であり、前記第２の光学機能層は、前記第１の光学機能層側から順にλ／２板（１／２波長板）、前記第１のコレステリック液晶層と同じ旋回方向の光を反射する第２のコレステリック液晶層と、積層された構造を有する構成も可能である。
【０１３９】
この構成によれば、２層のコレステリック液晶層は、同じ旋回方向の円偏光を反射する。そして、第１の光学機能層を透過した第１の旋回方向と逆旋回方向の第２の旋回方向の円偏光がλ／２板に入射する。このλ／２板に入射した第２の旋回方向の円偏光は、λ／２板において第１の旋回方向の円偏光に変換され、第２の光学機能層で反射される。この反射光は、上記と逆の経路をたどって、λ／２板に入射し、そこで第２の旋回方向の円偏光に変換され、第１の光学機能層を観察者側に透過する。これにより、第１の光学機能層からの第１の旋回方向の円偏光（例えば右目用）と、第２の光学機能層からの第２の旋回方向の円偏光（例えば左目用)が得られる。
【０１４０】
この構成によれば、１層目として右円偏光（あるいは左円偏光）を選択的に反射するコレステリック液晶層を選択し、２層目として左円偏光（あるいは右円偏光）を選択的に反射するコレステリック液晶層を選択した場合と同様な光学機能を得ることができる。なお、２層のコレステリック液晶層が反射する光の中心波長は、同じであってもよいし、異なっていてもよい。
【０１４１】
また上記の構成において、前記第１のホログラム像および前記第２のホログラム像は、複数の異なる視点に応じて形成されていることは好ましい。この構成によれば、各光学機能層のホログラム像を、識別媒体を見る角度に応じて用意することで、識別媒体を見る角度を変えた際に、視認される像の異なる面が見える（あるいは異なる画像が見える）。これにより、識別媒体を見る角度を変化させることで、立体観察像が回転、あるいは立体観察像の回りを観察者が周回しながら視点を変えつつ観察しているかのような見え方が得られる。あるいは表示される立体像が切り替わる様子が観察される。
【０１４２】
また本実施形態の構成に係り、第１のホログラム像を第１の偏光特性を有する反射光を選択的に透過する第１の偏光フィルタを介して左右の目の一方で観察し、第２のホログラム像を第２の偏光特性を有する反射光を選択的に透過する第２の偏光フィルタを介して左右の目の他方で観察することを特徴とする識別媒体の識別方法として発明を把握することも可能である。
【０１４３】
本実施形態で利用した発明では、コレステリック液晶層からの反射光を用いて立体像を再生している。コレステリック液晶は、特定の旋回方向で、且つ、特定の中心波長の円偏光を選択的に反射する（反射光は赤や青といった特定の色に見える）性質を持っている。このため、第１のホログラム像と第２のホログラム像は、特定の中心波長の光（特定の色の光）によって構成され、可視光全ての波長範囲の光が回折することで構成される一般的なエンボスホログラム像に比較して、ボケや滲みのない像を観察することができる。
【０１４４】
また、ホログラム加工に基づくホログラム像は、見る角度に従って異なる像が見えるようにすることが可能である。この特性を利用することで、本発明では、見る角度に応じて第１および第２のホログラム像が変化するようにできる。このため、見る角度を変化させると、立体観察像が回転、あるいは立体観察像の回りを観察者が周回しながら視点を変えつつ観察しているかのような見え方が得られる。また、見る角度を変えると、違う立体像が現れる識別表示が可能となる。
【０１４５】
また、コレステリック液晶層は、多層構造を有しているので、視線の角度を変化させると、各層の界面からの反射光の干渉波長の変化に起因する色合い変化（カラーシフトという）が発生する。このため、本発明では、識別媒体への視線の角度を変化させると、立体画像の変化（あるいは切り替わり）とカラーシフトの効果が同時に観察され、見る角度によって色が変化する。
【０１４６】
このように、見る角度によって立体像の形状と色合いが同時に変化し、それを利用しての識別を行うことができる。立体像の変化は、コレステリック液晶層に設けられたホログラム加工によって生じ、色合いの変化は、コレステリック液晶層のカラーシフト効果によって生じる。コレステリック液晶層のホログラム加工は、複製が困難であり、またコレステリック液晶層が示すカラーシフトは、コレステリック液晶層の層構造のピッチで決まり、製造条件や原材料が分からなければ簡単には再現できない。よって、本発明の見る角度によって立体像の形状と色合いが同時に変化する識別表示は、複製（偽造）が困難であり、高い耐偽造性が得られる。
【０１４７】
３．第３の実施形態
（構成）
図１０には、発明を利用した識別媒体５００が示されている。識別媒体５００は、観察を行う側から、表面保護層５０１、第１のコレステリック液晶層５０２、第２のコレステリック液晶層５０３、アルミ反射層５０４、ホログラム形成層５０５、粘着層５０６、セパレータ５０７と積層された構造を有している。
【０１４８】
表面保護層５０１はＴＡＣフィルムである。第１のコレステリック液晶層５０２は、右旋回で緑の中心波長の光を反射する特性とされ、右目用ホログラム６０１が形成されている。第２のコレステリック液晶層は、第１のコレステリック液晶層５０２と同様な光学特性（右旋回で緑の中心波長の光を反射する特性）とされ、ホログラムは形成されていない。アルミ反射層５０４は、ホログラム６０２を構成するためのホログラム加工が施された光反射層であり、ホログラム形成層５０５の上に蒸着により形成されたアルミニウムの薄膜である。ホログラム形成層５０５は、樹脂の層であり、左目用ホログラム６０２を構成する凹凸構造が形成されている。この凹凸構造に倣ってアルミ反射層５０４に凹凸構造が付与されることで、ホログラム６０２が構成されている。
【０１４９】
右目用ホログラム６０１と左目用ホログラム６０２とは、立体画像を構成するホログラム像を生成する。すなわち、右目用ホログラム６０１を右目で選択的に見、左目用ホログラム６０２を左目で選択的に見ることで、立体像が認識できるように、右目用ホログラム６０１が生成する右目用ホログラム像と左目用ホログラム６０２が生成する左目用ホログラム像とが選択されている。
【０１５０】
ホログラム形成層５０５に接して粘着材による粘着層５０６が形成され、粘着層５０６には離型紙として機能するセパレータ５０７が貼り付けられている。また各層は、光透過性の接着剤によって貼り合わされている。
【０１５１】
右目用ホログラム６０１と左目用ホログラム６０２とを入れ替えることも可能である。コレステリック液晶層５０２、５０３の反射光の旋回方向は、左旋回方向であってもよい。また、コレステリック液晶層５０２、５０３からの反射光の中心波長は、緑に限定されず赤等の他の中心波長であってもよい。また、コレステリック液晶層５０２からの反射光の中心波長とコレステリック液晶層５０３からの反射光の中心波長とを異なる波長としてもよい。
【０１５２】
（ホログラム加工）
右目用ホログラム６０１と左目用ホログラム６０２は、図４、図７、図８（または図９）に関連して説明した第１の実施形態および第２の実施形態の場合と同様なホログラム加工により形成されている。
【０１５３】
（光学原理）
図１１には、識別媒体５００の光学原理が示されている。識別媒体５００に図の上方から自然光が入射している状態を考える。この場合、入射光に含まれる右円偏光がコレステリック液晶層６０１から観察者側（図の上方）に反射される。他方で、入射光に含まれる左円偏光は、コレステリック液晶層５０２を図の下方に透過し、コレステリック液晶層５０３に入射する。
【０１５４】
コレステリック液晶層５０３は、右円偏光を反射する設定とされているから、左円偏光の入射光は、コレステリック液晶層５０３を透過し、アルミ反射層５０４に至り、そこで反射される。この際、旋回方向が反転し、左円偏光の入射光は、右円偏光の反射光としてアルミ反射層５０４から図の上方に反射される。
【０１５５】
この右円偏光の反射光は、コレステリック液晶層５０３にその下面から入射する。コレステリック液晶層５０３は、緑の中心波長の右円偏光を選択的に反射する設定とされているから、コレステリック液晶層５０３に図の下面から入射した右円偏光は、アルミ反射層５０４の側に緑の右円偏光として反射される。この緑の右円偏光は、再びアルミ反射層５０４に入射し、そこで反射される。この際、旋回方向が反転し、緑の左円偏光として反射される。
【０１５６】
この緑の左円偏光は、コレステリック液晶層５０３を図の下方から上方に向かって透過し、更にコレステリック液晶層５０２を図の下方から上方に向かって透過する。この透過光（緑の左円偏光）が観察者への識別媒体５００からの他方の反射光となる。
【０１５７】
ここで、コレステリック液晶層５０２から観察者側に反射した緑の右円偏光は、右目用ホログラム６０１のホログラム像を写し取っており、その画像情報を含んでいる。なお、このコレステリック液晶層５０２から観察者側に反射した緑の右円偏光は、左目用ホログラム６０２に到達した光でないので、左目用ホログラム６０２のホログラム情報は含んでいない。
【０１５８】
他方において、アルミ反射層５０４から観察者側に反射した緑の左円偏光は、左目用ホログラム６０２のホログラム像を写し取っており、その画像情報を含んでいる。なお、アルミ反射層５０４から観察者側に反射した緑の左円偏光は、コレステリック液晶層５０２を透過し、ホログラム６０１から光学変調を受けていないので、右目用ホログラム６０１の画像情報は含んでいない。
【０１５９】
従って、右目の前に右円偏光フィルタを配置し、左目の前に左円偏光フィルタを配置した状態において、識別媒体５００を観察すると、右目が右目用ホログラム６０１を選択的に視認し、左目が左目用ホログラム６０２を選択的に視認する。その結果、観察者に立体像が認識される。 
【０１６０】
仮にコレステリック液晶層５０３がない場合を説明する。この場合、コレステリック液晶層５０２を透過してアルミ反射層５０４に到達した左円偏光は、アルミ反射層５０４で反射し、右円偏光となり、更にコレステリック液晶層５０２の下面で図の下方に反射され、再度アルミ反射層５０４に右円偏光として入射する。この入射光は、アルミ反射層５０４で反射される際に、今度は左円偏光となり、コレステリック液晶層５０２を図の下方から上方に向かって透過し、左目用の反射光となる。この際、この左目用の反射光は、アルミ反射層５０４とコレステリック液晶層５０３の両方で反射しているので、左目用ホログラム６０２と右目用ホログラム６０１の両方の画像情報を写し取っている。そのため、立体像は観察できない（あるいは視認される像の立体感が大きく損なわれる）。
【０１６１】
第１のコレステリック液晶層５０２と第２のコレステリック液晶層５０３が選択反射する中心波長は同じであってもよいが、異なっていてもよい。例えば、第１のコレステリック液晶層５０２が選択反射する光を緑の右円偏光とし、それを右目用とし、第２のコレステリック液晶層５０３が選択反射する光を赤の左円偏光とし、それを左目用する場合を考える。
【０１６２】
この場合、右目用ホログラム像が緑、左目用ホログラム像が赤となり、円偏光フィルタを介した観察において、右目用ホログラム像だけを見れば緑のホログラム像が見え、左目用ホログラム像だけを見れば赤の像ホログラム像が見える。そして、右目の前に右円偏光フィルタを配置し、且つ、左目の間に左円偏光フィルタを配置した状態で当該識別媒体を見ると、赤と緑を同時にみた色彩で立体ホログラム像が観察される。なお、右目用と左目用の色を入れ替えることや、他の色の組み合わせも可能であり、実施形態は上記の組み合わせに限定されない。
【０１６３】
（優位性）
コレステリック液晶層へのホログラム加工は、特殊な技術を必要とし、通常の樹脂へのホログラム加工に比較して加工コストが高くなる。識別媒体５００は、コレステリック液晶層５０３にホログラムを形成しないので、加工コストが抑えられる。また、左右の目で視認する像が、特定の中心波長の光であるので、鮮明な立体像が認識できる。また、第１および第２の実施形態の場合と同様に、視点を変えた際に、立体像が回転したり切り替わったりしたりする光学機能が得られる。
【０１６４】
（補足）
以下、本実施形態で利用した発明の摘要を記す。すなわち、本実施形態で利用した発明は、観察する面側から、第１のコレステリック液晶層と、前記第１のコレステリック液晶層と同じ旋回方向の光を反射する光学特性を有する第２のコレステリック液晶層と、光反射面と配置され、前記第１のコレステリック液晶層には、第１のホログラムが形成され、前記第２のコレステリック液晶層には、ホログラムが形成されておらず、前記光反射層には、第２のホログラムが形成され、前記第１のホログラムが立体像を構成する右目用のホログラム像を形成し、前記第２のホログラムが前記立体像を構成する左目用のホログラム像を形成することを特徴とする。
【０１６５】
上記の構成において、第１のコレステリック液晶層が選択反射する光の中心波長と第２のコレステリック液晶層が選択反射する光の中心波長を異ならせても良い。この場合、円偏光フィルタを用いた観察において、第１の色のホログラム像の観察、第２の色のホログラム像の観察、第１の色と第２の色が合成された色の立体ホログラム像の観察によって識別を行うことができる。
【０１６６】
第２のコレステリック液晶層は、第１のコレステリック液晶層と逆旋回方向の円偏光を反射する光学特性のコレステリック液晶層の観察面側にλ／２板を配置した構成で代用することができる。第１のコレステリック液晶層からの反射光と第２のコレステリック液晶層からの反射光の中心波長は、同じであってもよいし、異なっていてもよい。
【０１６７】
上記の構成において、第２のコレステリック液晶層は、非観察面側が反射面として利用されている。また、第２のホログラムの画像情報を含む光は、第２のコレステリック液晶層の非観察面と光反射層との間における相互反射により入射光と同じ旋回方向の円偏光とされる。また、第２のホログラムの画像情報を含む光は、第２のコレステリック液晶層の非観察面側における反射により特定の中心波長の光とされている。
【産業上の利用可能性】
【０１６８】
本発明は、真贋の識別を行うための技術に利用することができる。
【符号の説明】
【０１６９】
１１…保護層、１２…コレステリック液晶層、１３…右目用ホログラム、１４…λ／４板、１５…直線偏光フィルタ層、１６…アルミ反射層、１７…ホログラム形成層、１８…左目用ホログラム、１９…左円偏光フィルタ層、３１…右目、３２…左目、３３…右円偏光フィルタ、３４…左円偏光フィルタ、３５…立体像（虚像）、１００…識別媒体、１０１…表面保護層、１０２…第１のコレステリック液晶層、１０２ａ…右目用ホログラム、１０３…１／２波長板、１０４…第２のコレステリック液晶層、１０４ａ…左目用ホログラム、１０５…粘着層、５０１…表面保護層、５０２…第１のコレステリック液晶層、５０３…第２のコレステリック液晶層、５０４…アルミ反射層、５０５…ホログラム形成層、５０６…粘着層、５０７…セパレータ。
【図１】
0005638287.tif 000002
【図２】
0005638287.tif 000003
【図３】
0005638287.tif 000004
【図４】
0005638287.tif 000005
【図５】
0005638287.tif 000006
【図６】
0005638287.tif 000007
【図７】
0005638287.tif 000008
【図８】
0005638287.tif 000009
【図９】
0005638287.tif 000010
【図１０】
0005638287.tif 000011
【図１１】
0005638287.tif 000012